(57)【要約】【課題】投入したスチール缶を確実に磁石に吸着させることができ、分別完了までスチール缶が磁石から離れることがなく、したがって確実に磁性飲料用容器（スチール缶）と非磁性飲料用容器（アルミ缶、ガラス瓶）を分別することができる飲料用容器分別機を提供する。【解決手段】投入ガイド部材２と、上側傾斜部６と、下側傾斜部８と、湾曲部７とを含む容器送り部材３と、飲料用容器を投入方向で受けて、前記上側傾斜部６から前記湾曲部７への移動方向を揃えるための位置決め機構と、前記湾曲部７側の端縁が前記投入方向と平行に形成されているマグネットシート９と、前記下側傾斜部８の前記マグネットシート９端部を上方に面して上面が開口した磁性飲料用容器収容部４と、前記湾曲部７を上方に面して上面が開口した非磁性飲料用容器収容部５とを備えている。【選択図】図１
2010125362.tif 000002
【特許請求の範囲】
【請求項１】
略円柱形状の飲料用容器を長手方向に滑らせて投入するために傾斜している投入ガイド部材と、
前記投入ガイド部材と同様の傾斜角を有する湾曲した板状の容器送り部材であって、
前記投入ガイド部材の出口側を載置して前記飲料用容器の投入方向と垂直方向に傾斜した上側傾斜部と、
前記上側傾斜部の傾斜方向と逆方向に傾斜した下側傾斜部と、
前記上側傾斜部及び前記下側傾斜部と一体成形されて湾曲した湾曲部とを含む容器送り部材と、
前記飲料用容器を投入方向で受けて、前記上側傾斜部から前記湾曲部への移動方向を揃えるための位置決め機構と、
該湾曲部における接線が少なくとも鉛直線となる位置から前記下側傾斜部にかけて前記容器送り部材の外側表面に貼り付けられ、前記湾曲部側の端縁が前記投入方向と平行に形成されているマグネットシートと、
前記下側傾斜部の前記マグネットシート端部を上方に面して上面が開口した磁性飲料用容器収容部と、
前記湾曲部を上方に面して上面が開口した非磁性飲料用容器収容部とを備えていることを特徴とする飲料用容器分別機。
【請求項２】
前記位置決め機構は、前記飲料用容器の投入方向と垂直方向に配設された丸棒材であることを特徴とする請求項１に記載の飲料用容器分別機。
【請求項３】
前記非磁性飲料用容器収容部は非磁性重量型飲料用容器収容部及び非磁性軽量型飲料用容器収容部とからなり、
前記非磁性重量型飲料用容器収容部の上側開口部を覆い、前記非磁性軽量型飲料用容器収容部側に下がって傾斜する蓋部材と、
該蓋部材上面にかかった重量を検出する重量検出手段と、
該重量検出手段にかかった重量が所定重量以上であったときに前記蓋部材を開く蓋部材開閉機構が備えられていることを特徴とする請求項１又は２に記載の飲料用容器分別機。
【請求項４】
前記蓋部材開閉機構は前記蓋部材の略中心を水平軸周りに回動させるための回転軸であり、前記重量検出手段は磁性材料及び磁石であり、該磁性材料及び磁石は、前記蓋部材の上側端部の下面と、前記非磁性重量型飲料用容器収容部の内壁に対向して備えられていることを特徴とする請求項３に記載の飲料用容器分別機。
【発明の詳細な説明】
【技術分野】
【０００１】
本発明は、飲料用容器分別機に関し、より詳しくはスチール製、アルミ製若しくはガラス製飲料用容器の分別に適した飲料用容器分別機に関するものである。
【背景技術】
【０００２】
空缶、空瓶の分別機が特許文献１に記載されている。この分別機は、湾曲部を有する磁石体と分離板を設け、さらに分類板を設けて、スチール缶を磁力により、アルミ缶とガラス瓶を重量差により分別収集するものである。一方、空缶分別回収箱が特許文献２に記載されている。この分別回収箱は、磁石によってスチール缶のみの落下方向を変更し、スチール缶とアルミ缶を分別するものである。
【特許文献１】実用新案登録第２５２９７３２号公報
【特許文献２】特開平１０−１５２２０６号公報
【発明の開示】
【発明が解決しようとする課題】
【０００３】
しかしながら、特許文献１の分別機は、空缶等を落下させて分別機に投入する。このため、例えばスチール缶を勢いよく落下させるとスチール缶は投入口の下側の誘導板に跳ね返り、スチール缶の向きが変わる。スチール缶が磁石体に接するときの角度によっては、うまくスチール缶が磁石に吸着されない場合がある。また、特許文献２の分別回収箱は、磁石によって吸着させる湾曲した吸着部に対し、スチール缶を長手方向に滑らせて分別する。したがって、スチール缶は湾曲した吸着部に対し、長手方向の一部でしか接しないので、吸着部を落下中にスチール缶が回転する等して吸着部から離れるおそれがある。
【０００４】
本発明は、上記従来技術を考慮したものであって、投入したスチール缶を確実に磁石に吸着させることができ、分別完了までスチール缶が磁石から離れることがなく、したがって確実に磁性飲料用容器（スチール缶）と非磁性飲料用容器（アルミ缶、ガラス瓶）を分別することができる飲料用容器分別機を提供することを目的とする。
【課題を解決するための手段】
【０００５】
前記目的を達成するため、請求項１の発明では、略円柱形状の飲料用容器を長手方向に滑らせて投入するために傾斜している投入ガイド部材と、前記投入ガイド部材と同様の傾斜角を有する湾曲した板状の容器送り部材であって、前記投入ガイド部材の出口側を載置して前記飲料用容器の投入方向と垂直方向に傾斜した上側傾斜部と、前記上側傾斜部の傾斜方向と逆方向に傾斜した下側傾斜部と、前記上側傾斜部及び前記下側傾斜部と一体成形されて湾曲した湾曲部とを含む容器送り部材と、前記飲料用容器を投入方向で受けて、前記上側傾斜部から前記湾曲部への移動方向を揃えるための位置決め機構と、該湾曲部における接線が少なくとも鉛直線となる位置から前記下側傾斜部にかけて前記容器送り部材の外側表面に貼り付けられ、前記湾曲部側の端縁が前記投入方向と平行に形成されているマグネットシートと、前記下側傾斜部の前記マグネットシート端部を上方に面して上面が開口した磁性飲料用容器収容部と、前記湾曲部を上方に面して上面が開口した非磁性飲料用容器収容部とを備えていることを特徴とする飲料用容器分別機を提供する。
【０００６】
請求項２の発明では、請求項１の発明において、前記位置決め機構は、前記飲料用容器の投入方向と垂直方向に配設された丸棒材であることを特徴としている。
請求項３の発明では、請求項１又は２の発明において、前記非磁性飲料用容器収容部は非磁性重量型飲料用容器収容部及び非磁性軽量型飲料用容器収容部とからなり、前記非磁性重量型飲料用容器収容部の上側開口部を覆い、前記非磁性軽量型飲料用容器収容部側に下がって傾斜する蓋部材と、該蓋部材上面にかかった重量を検出する重量検出手段と、該重量検出手段にかかった重量が所定重量以上であったときに前記蓋部材を開く蓋部材開閉機構が備えられていることを特徴としている。
【０００７】
請求項４の発明では、請求項３の発明において、前記蓋部材開閉機構は前記蓋部材の略中心を水平軸周りに回動させるための回転軸であり、前記重量検出手段は磁性材料及び磁石であり、該磁性材料及び磁石は、前記蓋部材の上側端部の下面と、前記非磁性重量型飲料用容器収容部の内壁に対向して備えられていることを特徴としている。
【発明の効果】
【０００８】
請求項１の発明によれば、収容すべき飲料用容器を投入ガイド部材に滑らせて投入し、そのまま容器送り部材の上側傾斜部に送ることができるので、上側傾斜部に送られたときの飲料用容器の角度が投入の仕方によってばらばらになることはなく、常に一定の角度、位置で投入することができる。具体的には、上側傾斜部の湾曲部への傾斜方向に対して、確実に垂直方向に投入することができる。
【０００９】
さらに、位置決め機構により上側傾斜部における飲料用容器の角度を確実に一定にすることができる。この後、飲料用容器は上側傾斜部の湾曲部への傾斜方向に転がり、湾曲部に送られる。このときも、上記投入方向が定まっているため、上側傾斜部を転がるときも斜めに転がることがなく、常に上側傾斜部の湾曲部への傾斜方向に対して平行に転がるようにすることができる。したがって、スチール缶のような磁性体からなる磁性飲料用容器が湾曲部を転がって当該湾曲部に貼り付けられたマグネットシートに吸着される際、略円筒形状の磁性飲料用容器はその長手方向にわたって同時にマグネットシートに吸着される。このため、マグネットシート上を転がっている際に磁性飲料用容器が斜めになってマグネットシートから離れることを防止でき、下側傾斜部まで確実に送ることができる。下側傾斜部のマグネットシート端部まで送られた磁性飲料用容器は、ここでマグネットシートから離間し、磁性飲料用容器収容部に確実に収容される。
【００１０】
一方、非磁性体からなる非磁性飲料用容器は、湾曲部まで転がったときに、マグネットシートに吸着されずにそのまま湾曲部から落下し、非磁性飲料用容器収容部に確実に収容される。以上より、同一の投入ガイド部材から投入された磁性飲料用容器と非磁性飲料用容器を確実に別の容器に分別して収容することができる。
請求項２の発明によれば、位置決め機構が飲料用容器の投入方向と垂直方向に配設された丸棒材であるため、投入された飲料用容器との接触面積を極力低減できる。このため、飲料用容器が上側傾斜部から湾曲部方向に転がって送られる際に、可能な限り摩擦力を減らして湾曲部方向にスムーズに送ることができる。
【００１１】
請求項３の発明によれば、非磁性飲料用容器が湾曲部から落下して蓋部材に当接したときに重量検出手段でその重量を検出され、ガラス瓶のような重量型の飲料用容器であれば蓋部材が開いて非磁性重量型飲料用容器収容部に収容され、アルミ缶のような軽量型の非磁性飲料用容器であれば傾斜した蓋部材上を滑って非磁性飲料用容器収容部に収容される。したがって、非磁性飲料用容器を重量の異なる材質に対応させて分別することができる。
【００１２】
請求項４の発明によれば、非磁性飲料用容器が落下して蓋部材に当接したときに、吸着している磁性材料と磁石を離間させることができる重量以上であれば、蓋部材が回転軸周りに回転する。すなわち、非磁性重量型飲料用容器が投入された場合は、非磁性重量型飲料用容器収容部に確実に収容することができる。一方、重量型でない非磁性飲料用容器は、磁石と磁性材料を離間させることができないので、蓋部材上を滑って非磁性飲料用容器収容部に確実に収容される。このような簡単な構成で、非磁性飲料用容器をその重量で分別することができる。
【発明を実施するための最良の形態】
【００１３】
図１は本発明に係る飲料用容器分別機の概略正面図である。図２は図１のＡ−Ａ視図であり、図３は図２のＢ−Ｂ断面図である。
図１に示すように、本発明に係る飲料用容器分別機１は、投入ガイド部材２と、容器送り部材３と、磁性飲料用容器収容部４と、非磁性飲料用容器収容部５を備えている。投入ガイド部材２は、略円筒形状であり、長手方向に傾斜して（図１の奥側が低くなるように）配設されている。略円柱形状の飲料用容器（空缶、空き瓶）は投入ガイド部材２の入口側（図１の手前側）から投入され、滑りながら出口側（図１の奥側）に送られる。容器送り部材３は、投入ガイド部材２と同様の傾斜角を有して傾斜している。すなわち、飲料用容器の投入方向手前側が高く、奥側が低くなるように傾斜している。
【００１４】
容器送り部材３は、湾曲した湾曲部７を有する板状体であり、湾曲部７を介して上側傾斜部６と下側傾斜部８が形成されている。したがって、容器送り部材３は、上側傾斜部６、湾曲部７、下側傾斜部８で構成されている。上側傾斜部６は投入ガイド部材２の出口側を載置するように配設されている。このため、投入ガイド部材２内を滑り落ちてきた飲料用容器は、投入ガイド部材２の出口側から上側傾斜部６上に移動する。上側傾斜部６は、投入ガイド部材２の傾斜方向と垂直方向、すなわち飲料用容器の投入方向に対して垂直方向に湾曲部７に向かって下がるように傾斜している。下側傾斜部８は、略円弧状の湾曲部７を介して上側傾斜部６と一体成形されている。下側傾斜部８は、湾曲部７から下がるように傾斜している。すなわち、上側傾斜部６の傾斜方向と逆方向に傾斜している。
【００１５】
上側傾斜部６の端部にはガイド壁１３が上側傾斜部６から折れ曲がって形成され、滑り落ちてきた飲料用容器の側方をガイドしている。ガイド壁１３の奥側には、上側傾斜部６と平行方向に延びて配設された丸棒材１４が備えられている。これにより、投入ガイド部材２から滑り落ちてきた飲料用容器は、上側傾斜部６上をガイド壁１３に側方をガイドされながら滑り落ち、丸棒材１４に当接する。この後、飲料用容器は上側傾斜部６を湾曲部７方向に転がりながら移動する。このとき、上述したように丸棒材１４が上側傾斜部６と平行方向に延びているので、飲料用容器が上側傾斜部６上を斜め方向に転がることを極力防止することができる。このように、丸棒材１４は投入ガイド部材２から投入された飲料用容器を上側傾斜部６にて移動方向を転換する際に、飲料用容器の的確な位置を定めるための位置決め機構の役割を果たす。これにより、飲料用容器はスムーズに上側傾斜部６でその移動方向を転換できる。
【００１６】
なお、飲料用容器を上側傾斜部６上で投入方向に受けることができれば、このような位置決め機構は丸棒形状に限らず、角柱や、あるいは壁体等、どのような形状であってもよい。丸棒形状とすれば、飲料用容器を受けたときに接触面積を極力低減でき、したがって可能な限り摩擦力を減らして湾曲部７方向にスムーズに送ることができる。
容器送り部材３の外側表面には、マグネットシート９が貼り付けられている。マグネットシート９は、少なくとも湾曲部７における接線が鉛直線となる位置から下側傾斜部８にかけて貼り付けられる。マグネットシート９の少なくとも湾曲部７側の端縁９ａは、飲料容器の投入方向、すなわち投入ガイド部材２の傾斜方向と平行に形成されている（図２参照）。このため、湾曲部７まで転がってきた飲料用容器は、その長手方向全体が同時にマグネットシート９の端縁９ａに対して吸着可能である。したがって飲料用容器が磁性材料からなる場合、確実にマグネットシート９に吸着させることができる。すなわち、飲料用容器が吸着する際に傾いた状態でマグネットシート９に吸着されることを防止できるので、湾曲部７上を転がる飲料用容器が誤ってマグネットシート９から離間して落下することを防止できる。
【００１７】
マグネットシート９の下側傾斜部８側の端縁９ｂの下方には、磁性飲料用容器収容部４が備わっている。磁性飲料用容器４は、マグネットシート９の端縁９ｂを上方に面して上面が開口している。
飲料用容器が磁性飲料用容器（例えばスチール缶）の場合、湾曲部７まで転がってきたスチール缶は、マグネットシート９に確実に吸着される。この後、スチール缶は下側傾斜部８の下面を転がりながら移動する。やがてマグネットシート９の端縁９ｂまで送られると、ここでマグネットシート９から離間して落下する。このようにして、スチール缶は磁性飲料用容器４内に確実に収容される。
【００１８】
湾曲部７の下方であって磁性飲料用容器収容部４の隣には、非磁性飲料用容器収容部５が配設されている。非磁性飲料用容器収容部５は、さらに非磁性重量型飲料用容器収容部１０と、非磁性軽量型飲料用容器収容部１１に分けられている。非磁性重量型飲料用容器収容部１０の上側開口部は、非磁性軽量型飲料用容器収容部１１側に下がって傾斜した蓋部材１５で覆われる。蓋部材１５は、蓋部材開閉機構たる回転軸１６廻りに回転可能である。回転軸１６は、蓋部材１５の略中心に位置している。蓋部材１５の傾斜方向上側端部の下面には、磁石１７が取り付けられている。これに対向して、非磁性重量型飲料用容器収容部１０の内壁には、磁石１７に吸着可能な磁性材料１８が取り付けられている。
【００１９】
したがって、非磁性飲料用容器が重量型（例えば瓶）の場合、湾曲部７から瓶が落下して蓋部材１５に当接したときに、その重量で磁石１７と磁性材料１８の吸着を離間させる。すなわち、磁石１７と磁性材料１８が飲料用容器の重量検出手段となる。この後、蓋部材１５が回転軸１６廻りに回転し、瓶は蓋部材１５を押し開けた形となって非磁性重量型飲料用容器収容部１０に収容される。非磁性飲料用容器が軽量型（例えばアルミ缶）の場合、湾曲部７から落下して蓋部材１５に当接しても磁石１７と磁性材料１８は離間しないので、アルミ缶は蓋部材１５上を傾斜方向に滑り落ち、非磁性軽量型飲料用容器収容部１１に収容される。なお、瓶が落下する際に確実に蓋部材１５の傾斜方向下側に当接するように、誘導板１９が設けられている。なお、重量検出手段としては、上記磁石１７と磁性材料１８の他に、重量センサを用いて開閉機構とリンクさせる等、種々の手段を用いることができる。
【００２０】
以上のように、磁性飲料用容器についてはマグネットシート９を用い、非磁性飲料用容器については重量によって蓋部材１５を開閉することにより、確実に磁性飲料用容器と、非磁性重量型飲料用容器と、非磁性軽量型飲料用容器を分別することができる。このような構成は、特に空き缶や空き瓶を廃棄するための分別廃棄箱（ゴミ箱）として利用するのに有用である。このように分別収集することにより、各容器を有用な資源として再生利用することができる。
【００２１】
以上で本発明の一実施形態についての説明を終えるが、本発明は上記実施形態に限定されるものではなく、本発明の趣旨を逸脱しない範囲で種々の変更ができるものである。
【図面の簡単な説明】
【００２２】
【図１】本発明に係る飲料用容器分別機の概略正面図である。
【図２】図１のＡ−Ａ視図である。
【図３】図２のＢ−Ｂ断面図である。
【符号の説明】
【００２３】
１  飲料用容器分別機
２  投入ガイド部材
３  容器送り部材
４  磁性飲料用容器収容部
５  非磁性飲料用容器収容部
６  上側傾斜部
７  湾曲部
８  下側傾斜部
９  マグネットシート
１５  蓋部材
【図１】
2010125362.tif 000003
【図２】
2010125362.tif 000004
【図３】
2010125362.tif 000005